(57)【要約】【課題】脈波を用いて血糖値を算出可能な血糖値測定システムおよび血糖値測定装置を提供することができる。【解決手段】生体における血流の脈波を検出する脈波検出部と、脈波検出部で検出された脈波に基づいて、脈波の上昇時における脈波波形の積分値と、脈波の減衰時における脈波波形の積分値と、脈波の高さとを解析パラメータとして算出し、算出した解析パラメータに基づいて血糖値を算出する血糖値算出部と、を設けるようにした。【選択図】  図１
2019141263.tif 000002
【特許請求の範囲】
【請求項１】
生体における血流の脈波を検出する脈波検出部と、
前記脈波検出部で検出された脈波に基づいて、脈波の上昇時における脈波波形の積分値と、脈波の減衰時における脈波波形の積分値と、脈波の高さとを解析パラメータとして算出し、算出した解析パラメータに基づいて血糖値を算出する血糖値算出部と、
を備えることを特徴とする血糖値測定システム。
【請求項２】
血液中のグルコースにおいて吸光特性を示す波長の光を生体の血流に対して照射可能な発光部と、
前記発光部により照射された光であって前記生体の血流で反射された光を受光可能な受光部と、
前記発光部への入力波形と前記受光部からの出力波形との間に生じ得る位相差をゼロに補償するための位相シフト部と、を備え、
前記脈波検出部は、前記位相差がゼロに補償された周波数の変化量を脈波として検出する、
ことを特徴とする請求項１に記載の血糖値測定システム。
【請求項３】
血液中のグルコースにおいて散乱／反射特性を示す波長の光を生体の血流に対して照射可能な発光部と、
前記発光部により照射された光であって前記生体の血流で反射された光を受光可能な受光部と、
前記発光部への入力波形と前記受光部からの出力波形との間に生じ得る位相差をゼロに補償するための位相シフト部と、を備え、
前記脈波検出部は、前記位相差がゼロに補償された周波数の変化量を脈波として検出する、
ことを特徴とする請求項１に記載の血糖値測定システム。
【請求項４】
前記血糖値算出部により算出された血糖値を出力する血糖値出力部を備えることを特徴とする請求項１に記載の血糖値測定システム。
【請求項５】
生体における血流の脈波を検出する脈波検出部と、
前記脈波検出部で検出された脈波に基づいて、脈波の上昇時における脈波波形の積分値と、脈波の減衰時における脈波波形の積分値と、脈波の高さとを解析パラメータとして算出し、算出した解析パラメータに基づいて血糖値を算出する血糖値算出部と、
を備えることを特徴とする血糖値測定装置。
【発明の詳細な説明】
【技術分野】
【０００１】
本発明は、血糖値測定システムおよび血糖値測定装置に関し、特に非侵襲的測定が可能な血糖値測定システムおよび血糖値測定装置に適用して好適なものである。
【背景技術】
【０００２】
血糖値の侵襲的測定法として、グルコースオキシダーゼ法（ＧＯＤ法）が知られている。ＧＯＤ法では、採血した血液を用いて、グルコースオキシダーゼの酵素反応過程で消費される酸素を測定して血糖成分であるグルコースを定量する。ＧＯＤ法は、測定精度が高く、自己血糖測定（ＳＭＢＧ）装置の多くに適用されている。しかしながら、ＧＯＤ法は、穿刺による採血を必要とするため、血糖値を頻繁に測定しなければならない患者にとっては負担である。
【０００３】
このような状況に鑑みて、血管に照射した赤外光の透過光または反射光のスペクトル変化から血糖値を測定する非侵襲的測定が可能な血糖値測定システムが開示されている（特許文献１）。
【先行技術文献】
【特許文献】
【０００４】
【特許文献１】特開２０１１−６２３３５号公報
【非特許文献】
【０００５】
【非特許文献１】Paul Valence, Fabrice Extramiana,Celine Large, Martine Cailleau,Abdeddayem Haggui, Pierre Maison Balanche, Jean Tichet, Bervely Balkau;Influence of blood glucose on  heart rate and cardiac function, DiabeticMedicine, Wiley 2011,28(4), pp440-9
【発明の概要】
【発明が解決しようとする課題】
【０００６】
血糖値が高くなると心拍数が増加することが知られおり（非特許文献１）、脈波の周期特性が血糖値によって変化することが考えられるが、特許文献１に記載の血糖値測定システムでは、脈波が考慮されて血糖値が測定されていない。
【０００７】
本発明は以上の点を考慮してなされたもので、脈波を用いて血糖値を算出可能な血糖値測定システムおよび血糖値測定装置を提案しようとするものである。
【課題を解決するための手段】
【０００８】
かかる課題を解決するため本発明においては、生体における血流の脈波を検出する脈波検出部と、前記脈波検出部で検出された脈波に基づいて、脈波の上昇時における脈波波形の積分値と、脈波の減衰時における脈波波形の積分値と、脈波の高さとを解析パラメータとして算出し、算出した解析パラメータに基づいて血糖値を算出する血糖値算出部と、を設けるようにした。
【０００９】
上記構成によれば、脈波に係る解析パラメータを算出することで、脈波が形成される現象を利用した血糖値算出のモデルを実現することができ、脈波を用いて非侵襲的に血糖値を算出することができる。
【００１０】
また本発明においては、血液中のグルコースにおいて吸光特性を示す波長の光を生体の血流に対して照射可能な発光部と、前記発光部により照射された光であって前記生体の血流で反射された光を受光可能な受光部と、前記発光部への入力波形と前記受光部からの出力波形との間に生じ得る位相差をゼロに補償するための位相シフト部と、を備え、前記脈波検出部は、前記位相差がゼロに補償された周波数の変化量を脈波として検出する、ことを特徴とする。
【００１１】
また本発明においては、血液中のグルコースにおいて散乱／反射特性を示す波長の光を生体の血流に対して照射可能な発光部と、前記発光部により照射された光であって前記生体の血流で反射された光を受光可能な受光部と、前記発光部への入力波形と前記受光部からの出力波形との間に生じ得る位相差をゼロに補償するための位相シフト部と、を備え、前記脈波検出部は、前記位相差がゼロに補償された周波数の変化量を脈波として検出する、ことを特徴とする。
【００１２】
上記構成によれば、血液中のグルコースが有する旋光性と位相シフト法とを用いることで高精度に脈波を測定できるので、血糖値をより正確に算出することができる。
【００１３】
また本発明においては、前記血糖値算出部により算出された血糖値を出力する血糖値出力部を備えることを特徴とする。
【００１４】
上記構成によれば、血糖値が集積可能となるので、Ｉｏｔ（Internet  of  Things）、Ｂｉｇデータ、遠隔医療などへの応用展開ができるようになる。
【発明の効果】
【００１５】
本発明によれば、脈波を用いて血糖値を算出することができる。
【図面の簡単な説明】
【００１６】
【図１】本発明の実施の形態に係る血糖値測定システムの構成の一例を示す図である。
【図２】同実施の形態に係る血糖値測定システムにおける第１波長（吸光特性）を用いて測定した脈波の平均値をプロットしたときのグラフを示す図である。
【図３】同実施の形態に係る血糖値測定システムにおける第２波長（散乱／反射特性）を用いて測定した脈波の平均値をプロットしたときのグラフを示す図である。
【図４】同実施の形態にかかる血糖値測定システムにおける血糖値の算出式の解析パラメータを説明するための図である。
【図５】同実施の形態に係る血糖値測定システムにおける血糖値測定の処理手順を示すフローチャートである。
【図６】同実施の形態にかかる血糖値測定システムにおいて取得される脈波波形を示す略線図である。
【図７】同実施の形態にかかる血糖値測定システムにおける位相シフト回路の周波数特性図である。
【図８】同実施の形態にかかる血糖値測定システムにおいて、脈波波形をディジタル処理に適した波形とした略線図である。
【図９】同実施の形態にかかる血糖値測定システムにおいて、ディジタル信号化した脈波波形の時間変化を示す略線図である。
【図１０】同実施の形態にかかる血糖値測定システムにおける血糖値測定装置の一例を示す図である。
【図１１】同実施の形態にかかる血糖値測定システムにおける血糖値測定装置の一例を示す図である。
【図１２】同実施の形態にかかる血糖値測定システムにより算出される血糖値の測定結果の一例を示す図である。
【図１３】同実施の形態にかかる血糖値測定システムにおける第２波長（散乱／反射特性）を用いて測定した健常者の脈波の平均値をプロットしたときのグラフを示す図である。
【図１４】同実施の形態にかかる血糖値測定システムにおける第２波長（散乱／反射特性）を用いて測定した糖尿病患者の脈波の平均値をプロットしたときのグラフを示す図である。
【図１５】第２の実施の形態に係る血糖値測定システムにおける血糖値測定の処理手順を示すフローチャートである。
【発明を実施するための形態】
【００１７】
以下図面について、本発明の一実施の形態を詳述する。
【００１８】
（１）第１の実施の形態
光に対するグルコースの旋光性により濃度、距離などによって変化する位相を利用して血糖値を求める手法もあるが、外部発振源を必要としない手法で入射波と反射波との位相差を考慮した自励発振する血糖値測定システムがないので、本実施の形態では、グルコース濃度を速度共振周波数に変換する手法を提案する。
【００１９】
（血糖値測定システム）
図１は、血糖値測定システム１０の構成の一例を示す図である。血糖値測定システム１０は、痛みのない、人に優しい非侵襲的な測定により血糖値を算出するシステムである。かかる血糖値測定システム１０において、脈波の周波数特性と血糖値との関数式を導き出して血糖値を算出する方法について説明する。
【００２０】
血糖値測定システム１０は、発光部１１、受光部１２、増幅部１３、位相シフト部１４、脈波検出部１５、記憶部１６、血糖値算出部１７、および血糖値出力部１８を備える。
【００２１】
発光部１１は、発光ダイオード（ＬＥＤ）、ＬＥＤの点灯および消灯を制御するＬＥＤ駆動回路等を含んで構成される。ＬＥＤは、生体の血管を流れる血流に波長λの光（特定光）を照射可能な発光素子である。ＬＥＤ駆動回路は、電源、スイッチングトランジスタ、スイッチングトランジスタのベース電圧を設定する抵抗素子等を含んで構成される。なお、スイッチングトランジスタを入力信号によってオンさせることでＬＥＤが発光する。
【００２２】
本実施の形態では、特定光の波長λとして、血液中のグルコースの吸光特性と密接な現象を呈する波長（第１波長）、および／または、血液中のグルコースの散乱／反射特性と密接な現象を呈する波長（第２波長）を採用している。第１波長は、２１００ｎｍを中心に吸光特性が顕著になるので、血糖値の測定に好適である。また、発光部１１および受光部１２（光デバイス）を容易に入手できるという観点では、短い波長を用いることが好適である。例えば、１／２波長の１０００ｎｍ〜１１００ｎｍ、１／４波長の５００ｎｍ〜５５０ｎｍ等が好適である。また、第２波長は、１９００ｎｍを中心に散乱／反射特性が顕著になるので、血糖値の測定に好適である。また、発光部１１および受光部１２（光デバイス）を容易に入手できるという観点では、短い波長を用いることが好適である。例えば、１／２波長の８８０ｎｍ〜９６０ｎｍ、１／４波長の４４０ｎｍ〜４８０ｎｍ等が好適である。
【００２３】
受光部１２は、フォトトランジスタ、フォトトランジスタをオンさせて血流に照射されて反射した特定光を検出可能な状態とする検出回路等を含んで構成される。フォトトランジスタは、ＬＥＤから出た光（特定光）を検出可能（受光可能）な受光素子である。例えば、フォトトランジスタは、ＬＥＤから照射された光が血管（血流）に当たって反射した光（反射光）を受光して検出する。
【００２４】
また、フォトトランジスタは、受光量に応じたオン電流が流れる素子である。オン電流は、検出回路（抵抗）によって電圧に変換されて出力信号となる。出力信号の大きさは、受光量に依存し、受光量が多くなるほど大きくなる。また、フォトトランジスタが受光する光は、血流に照射されて反射した特定光であって、受光量には脈波の特性が反映される。詳しくは後述するが、特定光が血流に照射され、血流からの特定光がフォトトランジスタにより受光される。また、血液中には、グルコースが存在し、特定光の一部はグルコースに吸収され、グルコース濃度が高くなると心拍数が増加するため、フォトトランジスタの出力信号は、血液中のグルコース濃度（血糖値）と脈波とに関連して増減する。
【００２５】
なお、フォトトランジスタには、公知のフォトトランジスタを適用できる。また、受光素子は、フォトトランジスタに限定されるものではなく、例えば、フォトダイオード等の受光デバイスであってもよい。
【００２６】
増幅部１３は、受光部１２の出力信号を増幅する電子回路であり、公知の増幅回路を用いることができる。なお、図示は省略するが、増幅部１３と受光部１２とは、ＤＣカットコンデンサ等を介して接続され、受光部１２からの出力信号の直流成分はカットされ、交流成分のみが増幅部１３に伝送される。
【００２７】
位相シフト部１４は、発光部１１のＬＥＤ駆動回路の電気信号である入力信号の波形（入力波形）と、受光部１２の検出回路の電気信号である出力信号の波形（出力波形）との間に位相差があるときに、電気信号の周波数を変化させて位相差をゼロに補償する機能を有する。かかる機能を有する位相シフト回路については、特開平９−１４５６９１などに詳細が開示されている。
【００２８】
本実施の形態では、血流が測定対象とされる状態において、発光部１１−（血流）−受光部１２−増幅部１３−位相シフト部１４−発光部１１の閉ループ（帰還ループ）が構成される。この閉ループの中を、測定対象物（血流）の物性に依存して振動する電気信号が流れる。
【００２９】
位相シフト部１４は、この閉ループにおいて、位相シフト部１４に入力される入力信号と、出力される出力信号との間に位相差が生じるときは、自励発振回路の発振周波数を変化させて、位相差をゼロとし、自励発振を持続させる機能を有する。
【００３０】
脈波検出部１５は、位相シフト部１４から出力される自励発振回路の発振周波数（脈波データ）の周波数をデフォルト周波数に調整し、脈波データの繰り返しの一周期波形を検出する。
【００３１】
記憶部１６は、血糖値の算出に用いる係数（後述のＡ、Ｂ、α、β）を記憶する。なお、係数の詳細については後述する。
【００３２】
血糖値算出部１７は、一周期波形に基づいて血糖値を算出するための解析パラメータを算出し、算出した解析パラメータと記憶部１６に記憶された係数とに基づいて血糖値を算出する。
【００３３】
なお、脈波検出部１５および血糖値算出部１７は、ソフトウェアを実行することで実現できる。より具体的には、血糖値測定プログラムを実行することで実現できる。脈波検出部１５および血糖値算出部１７の機能の一部をハードウェアで構成してもよい。ここでは、ソフトウェアで実現できる機能を処理するプロセッサを内蔵した１つのＩＣチップで脈波検出部１５および血糖値算出部１７を構成する。これによって、回路ブロックを小型にできる。
【００３４】
血糖値出力部１８は、液晶表示装置、ノート型のパーソナルコンピュータ、スマートフォン等であり、血糖値算出部１７により算出された血糖値を出力する。より具体的には、血糖値出力部１８は、算出された血糖値を表示可能な液晶表示装置などの表示部、表示部の表示内容を切り替えるための操作部（ボタン、キーボード、タッチパネル等）を含んで構成される。なお、血糖値出力部１８は、操作部を有していなくてもよいし、算出された血糖値を印刷可能なプリンタなどの印刷部であってもよいし、印刷部に接続されていて血糖値を印刷可能な構成であってもよい。
【００３５】
（血糖値の算出式）
図２は、横軸に脈波の周期時間Ｘ、縦軸に正規化周波数変化量Ｙをとり、第１波長（吸光特性）を用いて測定した所定数（例えば、１０拍）の脈波の平均値をプロットしたときのグラフ（脈波と血糖値の変動特性を解析した結果）を示す図である。図２に示すように、相関曲線Ｙ＝Ａ・Ｘ−αの決定係数ｒ２は、「０．９７」となり、脈波の周期時間Ｘと正規化周波数変化量Ｙとに相関関係があることが確認され、Ｙ＝Ａ・Ｘ−αは、精度の高い回帰モデルであることがわかる。このとき、Ａとして「６５．１４」、αとして「２．７５」が得られ、これらの値（あくまでも一例である。）が記憶部１６に記憶される。
【００３６】
ここで、脈波の周期時間Ｘは、下記の式で表される。
【数１】
2019141263.tif 000003
【００３７】
また、正規化周波数変化量Ｙは、下記の式で表される。
【数２】
2019141263.tif 000004
【００３８】
したがって、第１波長（吸光特性）を用いて測定した場合の血糖値は、下記の式（１）により算出される。
【数３】
2019141263.tif 000005
【００３９】
ただし、Ｆ１は、下記のとおりである。なお、解析パラメータ（ｔａ１、ｔｂ１、Ｓａ１、Ｓｂ１、ｈｂ１）については後述する。
【数４】
2019141263.tif 000006
【００４０】
図３は、横軸に脈波の周期時間Ｘ、縦軸に正規化周波数変化量Ｙをとり、第２波長（散乱／反射特性）を用いて測定した所定数（例えば、１０拍）の脈波の平均値をプロットしたときのグラフ（脈波と血糖値の変動特性を解析した結果）を示す図である。図３に示すように、相関曲線Ｙ＝Ｂ・Ｘ−βの決定係数ｒ２は、０．９８となり、脈波の周期時間Ｘと正規化周波数変化量Ｙとに相関関係があることが確認され、Ｙ＝Ｂ・Ｘ−βは、精度の高い回帰モデルであることがわかる。このとき、Ｂとして「４８．９６」、βとして「２．７５」が得られ、これらの値（あくまでも一例である。）が記憶部１６に記憶される。
【００４１】
脈波の周期時間Ｘおよび正規化周波数変化量Ｙは、第１波長のときと同じであるので、第２波長（散乱／反射特性）を用いて測定した場合の血糖値は、下記の式（２）により算出される。なお、解析パラメータ（ｔａ２、ｔｂ２、Ｓａ２、Ｓｂ２、ｈｂ２）については後述する。
【数５】
2019141263.tif 000007
【００４２】
次に、図４を用いて、血糖値の算出式の解析パラメータについて説明する。図４は、横軸に時間、縦軸に位相シフト法による正規化周波数（速度共振周波数）ｆをとり、脈波波形を表したときのイメージ図を示す。下側の脈波波形Ｆ１は、第１波長（吸光特性）を用いて測定したときのイメージ図を示し、上側の脈波波形Ｆ２は、第２波長（散乱／反射特性）を用いて測定したときのイメージ図を示す。
【００４３】
ここで、脈波波形Ｆ２を特徴付ける第２波長（散乱／反射特性）の解析パラメータとして、ｔａ２、ｔｂ２、Ｓａ２、Ｓｂ２、ｈａ２、ｈｂ２がある。ｔａ２は、一周期の開始時点を時間原点として脈波波形Ｆ２が最大値（最高値）となる時間である。ｔｂ２は、脈波波形Ｆ２が最大値（最高値）となる時間から一周期の終了時点となる時間である。Ｓａ２は、脈波の上昇時における周波数面積（時間原点からｔａ２までの脈波波形Ｆ２の時間積分値）である。Ｓｂ２は、脈波の減衰時における周波数面積（ｔａ２から一周期の終了時点までの脈波波形Ｆ２の時間積分値）である。ｈａ２は、脈波の上昇時の高さ（ｆａ２とＳａ２の関数）である。ｈｂ２は、脈波の減衰時の高さ（ｆｂ２とＳｂ２の関数）である。
【００４４】
ここで、ｈａ２は、下記の式で表される。
【数６】
2019141263.tif 000008
【００４５】
また、ｈｂ２は、下記の式で表される。
【数７】
2019141263.tif 000009
【００４６】
このように、正規化したｈａ２、ｈｂ２を用いることで、測り方による脈波のばらつきを小さくすることができる。
【００４７】
なお、脈波波形Ｆ２は、時間原点からｔａ２までの間に速度共振周波数ｆが急激に増大する。そして、ｔａ２から一周期が終了する時間までの間は、全体としては速度共振周波数ｆが減少する。
【００４８】
解析パラメータは、光に対するグルコースの旋光性を考慮した位相シフト法による速度共振周波数として変換すると脈波変化の時間パラメータのみではなく、血管の収縮と拡張によって脈波が形成される現象を反映して血糖値を算出しようとするためのパラメータである。
【００４９】
すなわち、ｔａ２の期間は、血管が血流を押し出す収縮期間であり、ｔｂ２の期間は、血管が血流を押し出して緩和する拡張期間である。これらの期間について、時間パラメータと波形の積分値、脈波の正規化周波数の最大変化量（脈波の高さ）を求め、これらによって、血管の収縮と拡張に伴って血流がエネルギーを受け取り、またエネルギーを放出することで脈波が形成される現象を利用した血糖値算出のモデルを実現している。
【００５０】
なお、第１波長（吸光特性）の解析パラメータについては、第２波長（散乱／反射特性）の解析パラメータと同様であるので、その説明を省略する。
【００５１】
（血糖値測定処理）
図５は、血糖値測定プログラムの処理手順（血糖値測定方法）の一例を示す。被検査者が希望する測定時間に測定開始操作が行われることにより、血糖値測定処理が開始される。
【００５２】
血糖値測定システム１０において、発光部１１からの光は、人体の皮膚表面に入射し、当該皮膚表面近傍の血流で反射し、その反射光は、受光部１２にて受光される。そして、発光部１１−（血流）−受光部１２−増幅部１３−位相シフト部１４−発光部１１の閉ループが形成される。
【００５３】
この閉ループは、増幅部１３と位相シフト部１４によって自励発振回路を形成する。位相シフト部１４は、その入力信号に対応する受光部１２から出力される検出電気信号と、その出力信号に対応する発光部１１に供給される駆動電気信号との間に位相差があるときは、その位相差をゼロにするように、自励発振回路の発振周波数を変化させる。
【００５４】
この発振周波数の変化は、血流の変化を反映したもので、その時間変化の波形は、図６に示す脈波波形Ｆ３である（ステップＳ１１）。脈波波形Ｆ３は、横軸に時間、縦軸に電圧をとると、例えば図６のように示される。脈波波形Ｆ３は、電圧振幅が時間経過に関わらずほぼ一定で、周波数が時々刻々変化する。この周波数変化が血管における収縮の大きさと拡張の大きさとに対応する。
【００５５】
脈波波形Ｆ３における周波数変化のダイナミックレンジは、被検査者によって異なる。脈波波形Ｆ３の中心周波数に個人差があるため、そのまま脈波波形Ｆ３のデータ処理を進めると、メモリ容量も、信号処理回路のダイナミックレンジも、大きなものとなる。このため、脈波波形Ｆ３の中心周波数を予め定めたデフォルト周波数ｆＤに統一する周波数調整が行われる（ステップＳ１２）。この処理手順は、脈波検出部１５の機能によって実行される。
【００５６】
より具体的には、脈波検出部１５から位相シフト部１４に対して、回路定数を変更させる周波数調整信号が出力される。デフォルト周波数ｆＤは、脈波データのサンプリング周期や、脈波データのばらつきを平均化するのに必要なデータ組数等と、回路ブロックの処理速度、メモリ容量等を考慮して決定することができる。ここでは、脈波データのサンプリング周期を毎秒２００回、ばらつき平均化に必要なデータ組数を３０組、データ処理のビット数を１６ビット、処理速度を１０ＭＨｚとして、デフォルト周波数ｆＤを５ｋＨｚとした。
【００５７】
デフォルト周波数ｆＤは、位相シフト部１４の動作中心周波数ｆ０と異なるものとする。図７は、位相シフト部１４のゲインと位相の周波数特性とを示す図である。位相シフト部１４のゲイン特性は、動作中心周波数ｆ０を中心として対称形にゲインが低下するバンドパス特性を有するように設定される。したがって、動作中心周波数ｆ０付近では、周波数が変化してもゲインがほとんど変化しない。
【００５８】
脈波波形は、自励発振回路の発振周波数の時間的変化を示す波形であるため、周波数変化を感度よく検出する必要がある。そこで、デフォルト周波数ｆＤは、ゲイン／周波数の勾配の小さい付近を避けて、ゲイン／周波数の勾配の大きい周波数のところに設定する。図７では、デフォルト周波数ｆＤを位相シフト部１４の動作中心周波数ｆ０より高周波側に設定されるが、これを動作中心周波数ｆ０より低周波側に設定してもよい。
【００５９】
このデフォルト周波数ｆＤで、脈波波形データのサンプリングを行う。脈波波形は、アナログ波形であるので、適当な閾値を有するコンパレータによるＡ／Ｄ変換を用いて２値化を行い、ディジタル波形に変換し、そのディジタル波形についてサンプリングを行う。図８にＡ／Ｄ変換された脈波波形の例を示す。
【００６０】
サンプリングは、ディジタル波形について、１６ビット分のサンプリングを行う。この１６ビット分のサンプリングデータを１組として、同じ被検査者に対し、３０組のサンプリングデータを取得する。取得した３０組のサンプリングデータは一旦記憶部１６に記憶する。記憶された３０組のサンプリングデータを用いて、データのスムージング処理を行う。スムージング処理としては、隣接するサンプリングデータ間で移動平均を取る方法を用いることができる。このようにして、１６ビット分のサンプリングデータにおける異常データ等を取り除き、信頼性の高いサンプリングデータとする（ステップＳ１３）。
【００６１】
図９に、スムージング処理後の１６ビット分のサンプリングデータの例を示す。横軸は時間、縦軸はデフォルト周波数ｆＤからの周波数偏差である。図９に示されるように、サンプリングデータは、周期性を有するが、時間経過に対し傾斜を有する。この傾斜は、被検査者の測定状態によるものである。
【００６２】
そこで、脈波波形Ｆ３に相当する１６ビットのサンプリングデータについて、繰り返し単位となる一周期の波形を抜き出すために、一周期分判定を行う（ステップＳ１４）。一周期は、血流の繰り返し周期で、鼓動の周期であるので、経験上、大体の値が分かっている。そこで、サンプリングデータを微分し、得られるゼロクロス点を求める。そして、適当な判定時間間隔を設定し、その間のゼロクロス点の間を一周期と判定する。
【００６３】
一周期分のサンプリングデータが得られると、次に傾斜補正を行う（ステップＳ１５）。傾斜補正は、一周期のサンプリングデータの開始点となるゼロクロス点のΔｆの値と、一周期の終了点となるゼロクロス点のΔｆの値を同じとするように、各サンプリングデータを補正することで行う。傾斜補正が行われた一周期分の脈波波形を算出して取得する上記の手順は、脈波検出部１５の機能によって実行される。
【００６４】
続いて、解析パラメータの算出が行われる（ステップＳ１６）。解析パラメータの算出は、血糖値算出部１７の機能によって実行される。より具体的には、血糖値算出部１７は、第１波長の場合、脈波波形のピーク検出を行ってｔａ１を求め、ｔｂ１＝（一周期期間ｔ−ｔａ１）を求める。そして、ｔａ１、ｔｂ１のそれぞれの期間について脈波波形の時間積分を行ってＳａ１、Ｓｂ１を算出する。また、ｔａ１、ｔｂ１、Ｓａ１、Ｓｂ１を用いて、演算によりｈａ１、ｈｂ１を算出する。なお、ｈａ１は、上昇時側から見た高さを示し、ｈｂ１は、減衰時側から見た高さを示すものであり、ｈａ１とｈｂ１とは、同じ値である。また、血糖値算出部１７は、第２波長の場合、脈波波形のピーク検出を行ってｔａ２を求め、ｔｂ２＝（一周期期間ｔ−ｔａ２）を求める。そして、ｔａ２、ｔｂ２のそれぞれの期間について脈波波形の時間積分を行ってＳａ２、Ｓｂ２を算出する。また、ｔａ２、ｔｂ２、Ｓａ２、Ｓｂ２を用いて、演算によりｈａ２、ｈｂ２を算出する。なお、ｈａ２は、上昇時側から見た高さを示し、ｈｂ２は、減衰時側から見た高さを示すものであり、ｈａ２とｈｂ２とは、同じ値である。血糖値算出部１７は、算出した解析パラメータを記憶部１６に記憶する。付言するならば、算出されたこれらの解析パラメータは規格化されたものであり、その単位は、必ずしも時間や圧力ではない。
【００６５】
続いて、血糖値の算出が行われる（ステップＳ１７）。血糖値の算出は、血糖値算出部１７の機能によって実行される。より具体的には、血糖値算出部１７は、記憶部１６に記憶した係数（Ａ、α、Ｂ、β）と、解析パラメータ（ｔａ（ｔａ１、ｔａ２）、ｔｂ（ｔｂ１、ｔｂ２）、Ｓａ（Ｓａ１、Ｓａ２）、Ｓｂ（Ｓｂ１、Ｓｂ２）、ｈｂ（ｈｂ１、ｈｂ２））とを用いて血糖値を算出する。なお、血糖値算出部１７は、第１波長を用いて測定した場合には、式（１）により血糖値を算出し、第２波長を用いて測定した場合には、式（２）により血糖値を算出する。
【００６６】
続いて、血糖値が出力される（ステップＳ１８）。血糖値の出力は、血糖値出力部１８によって行われる。
【００６７】
上述した構成によれば、検査対象の生体の種類（人体、家畜等）や被検査者の個人差（緩慢な脈動や急峻な脈動等）や脈波センサ（光学センサ、振動センサ、変位センサ等）の種類や脈波の検出値の単位（電位、周波数、mm等）によらず、血糖値を算出することができる。
【００６８】
上述した構成では、脈波センサとして、人体の表面に発光部１１によって光を入射し、反射した光を受光部１２で受光する反射型受光光センサを説明した。これに代えて、人体に向けて発光部１１によって光を入射し、透過した光を受光部１２で受光する透過型受発光センサを用いてもよい。また、人体に向けて発光素子によって光を入射し、そのときに発生する超音波を超音波検出素子で検出し、血糖値を算出するようにしてもよい。
【００６９】
このように、波形入力部と波形検出部とを有するセンサを用いる場合には、位相シフト法を利用できる。例えば、超音波型の脈波センサとして、超音波検出素子に増幅器を接続し、増幅器の出力端子と発光素子との間に位相シフト回路を配置し、人体の血流部と超音波検出素子と増幅器と位相シフト回路と発光素子とで構成される自励発振回路の発振周波数の中心周波数をデフォルト周波数に調整する周波数調整部を備える構成とすることができる。
【００７０】
この他に、位相シフト法を用いない単純なセンサを脈波センサとして用いることもできる。例えば、変位センサ、振動検出センサ等、脈波波形を検出するものであれば、脈波センサとして用いることができる。脈波センサが代わっても、相関曲線が得られれば、様々な脈波検出センサを用いることができる。
【００７１】
また、生体として人体の場合について述べたが、人体以外の生体であっても、血管の収縮と拡張とによって脈波波形が形成されるものであれば、血糖値を算出することができる。
【００７２】
（血糖値測定装置）
血糖値測定システム１０に係る血糖値測定装置の例を図１０および図１１に示す。
【００７３】
図１０は、クリップ型の血糖値測定装置２１を示す。血糖値測定装置２１は、第１波長または第２波長を用いて血糖値を測定する装置である。クリップ型によれば、指を固定してセンサ（発光部１１および受光部１２）に接触させることにより、安定的な測定が可能となる。
【００７４】
図１１は、腕時計型の血糖値測定装置２２を示す。腕時計型によれば、ベルトで血糖値測定装置２２を腕に固定し、センサ（発光部１１および受光部１２）に腕を接触させることにより、安定的な測定が可能となる。血糖値測定装置２２では、血糖値の測定に加えて血圧の測定（同時測定）も可能である。血圧の測定には、例えば、特開２０１７−１０９０６３号公報に記載の技術を採用することができる。
【００７５】
血糖値測定システム１０に係る血糖値測定装置は、上述の例に限られるものではなく、皮膚表面近傍に血管が存在する部位に装着可能な他の形態であってもよい。
【００７６】
例えば、被検査者の身体のうち活動時に最も皮膚表面の動きの少ない部位に、血糖値測定装置を装着することが有効であり、特に胸部中央の骨表層面に貼り付け可能な絆創膏型の血糖値測定装置であってもよい。その他にも皮膚表面近傍に血管が存在する部位としては、頭部（特に顔）、胸部、手（指を含む）、腕部、足（特に足裏）、脚部など広く対象となる。これらの各部位に対応する血糖値測定装置として、絆創膏型、機器内蔵型など小型かつワイヤレス通信および受電が可能なものを適用することができる。
【００７７】
例えば、顔を中心とした頭部においては、メガネの鼻当て、テンプル等に血糖値測定装置を搭載してもよい。胸部においては、ネックレス、ネクタイ、ネックストラップＩＤカード、シャツの裏地に血糖値測定装置を搭載してもよい。特に胸部中央の骨表層面に近い部位に装着できることが望ましい。
【００７８】
また手や腕部においては、腕時計、リストバンド、指輪などに血糖値測定装置を搭載するようにしてもよい。特に掌（把持部）においては、自動車のステアリング、二輪車のハンドル、鞄の持ち手、歯ブラシやシェーバーの柄、筆記具、パーソナルコンピュータのマウス等、被検査者が所定時間把持する対象物に血糖値測定装置を搭載するようにしてもよい。
【００７９】
さらに足や脚部においては、靴の中敷き、くつ下、シューズ、アンクルバンド、ズボンなどに血糖値測定装置を搭載するようにしてもよい。これ以外にも被検査者の携行品にも血糖値測定装置を搭載してもよく、例えば、スマートフォン（携帯電話）、スマートフォンのカバーケース、タブレット端末、タブレット端末のカバーケース等が挙げられる。
【００８０】
（測定結果）
図１２は、血糖値測定システム１０により算出される血糖値の測定結果の一例を示す図である。図１２には、食後１時間と食後３時間とにおいて、第２波長を用いて血糖値を測定したときの測定結果が示されている。図１２では、食後の血糖値が３時間後には低下していることが示されている。また、血糖値は、一拍毎に変動することが示されている。
【００８１】
（健常者と糖尿病患者について）
図１３は、横軸に脈波の周期時間Ｘ、縦軸に正規化周波数変化量Ｙをとり、第２波長（散乱／反射特性）を用いて測定した健常者の脈波の平均値をプロットしたときのグラフ（測定例）を示す図である。
【００８２】
図１４は、横軸に脈波の周期時間Ｘ、縦軸に正規化周波数変化量Ｙをとり、第２波長（散乱／反射特性）を用いて測定した糖尿病患者の脈波の平均値をプロットしたときのグラフ（測定例）を示す図である。
【００８３】
図１３および図１４に示すグラフより、健常者と糖尿病患者のグラフ特性は顕著に異なることがわかる。また、血液中のグルコースの影響で脈波パラメータ（ｔａ２、ｔｂ２）による糖尿病患者の特性は変動範囲が小さく、健常者の１／２程度のシフト量であることがわかる。
【００８４】
付言するならば、図１３および図１４に示すように、ＸとＹとに相関関係があることが確認されたので、健常者であっても糖尿病患者であっても式（２）を用いて血糖値を算出することができる。
【００８５】
（本実施の形態に係る効果）
上述したように、脈波に係る解析パラメータを算出することで、脈波が形成される現象を呈する血糖値算出のモデルを実現することができ、脈波を用いて血糖値を算出することができる。
【００８６】
また、従来は、血糖値の測定において校正曲線（検量線）が不可欠であるが、上述した構成によれば、解析パラメータを算出することで、脈波が形成される現象を呈する血糖値算出のモデルを実現することができ、校正曲線が不要となる。
【００８７】
また、上述した構成によれば、脈波の周波数シフト特性を利用するので、血糖値をリアルタイムに測定できる。
【００８８】
また、上述した構成によれば、血液中のグルコースが有する旋光性と位相シフト法とを用いることで高精度に脈波を測定できるので、血糖値をより正確に算出することができる。
【００８９】
また、上述した構成によれば、血糖値を出力することで血糖値が集積可能となるので、Ｉｏｔ（Internet  of  Things）、Ｂｉｇデータ、遠隔医療などへの応用展開ができるようになる。
【００９０】
また、脈波特性の利用は、簡便かつ外乱の影響が少ないので、応用展開が容易となる。
【００９１】
（２）第２の実施の形態
本実施の形態では、第１の実施の形態とは異なる方法で脈波を取り出して血糖値を算出する例について説明する。以下では、第１の実施の形態と異なる構成について主に説明する。
【００９２】
図１５は、血糖値測定プログラムの処理手順（血糖値測定方法）の一例を示す。被検査者が希望する測定時間に測定開始操作が行われることにより、血糖値測定処理が開始される。
【００９３】
まず、脈波検出部１５は、発振周波数を取得する（ステップＳ２１）。この際、２チャンネルを用いる場合（発光部１１、受光部１２、増幅部１３、位相シフト部１４と同様の構成が更に１組あり、第１波長（例えば、５２５ｎｍの波長）および第２波長（例えば、４６０ｎｍの波長）の各々を用いて血糖値を算出する場合）、２チャンネル同時に発振周波数を取得する。
【００９４】
続いて、脈波検出部１５は、発振周波数を取得時間測定する（ステップＳ２２）。そして、脈波検出部１５は、Ｘ軸を時間とし、Ｙ軸を発振周波数として生波形を生成する。
【００９５】
続いて、脈波検出部１５は、波形をフィルタリング（ノイズを除去）する（ステップＳ２３）。
【００９６】
続いて、脈波検出部１５は、波形のエッジ（立上りおよび立下り）を検知する（ステップＳ２４）。
【００９７】
続いて、脈波検出部１５は、生波形では脈波が連続して続いているので、エッジで一拍ごとに波形を分離する（ステップＳ２５）。
【００９８】
続いて、脈波検出部１５は、一拍ごとに分離した波形（分離波形）の各々の始点および終点のズレを補正する（ステップＳ２６）。なお、生波形には、傾斜があるため、脈波検出部１５は、始点および終点のズレから傾きを演算し、ベースラインを合わせる（「０」にする）。
【００９９】
続いて、血糖値算出部１７は、各分離波形のピーク（最大値および最小値）を検知する（ステップＳ２７）。２チャンネルを用いる場合、血糖値算出部１７は、第１波長については最小値をピークとして検知し、第２波長については最大値をピークとして検知する。
【０１００】
続いて、血糖値算出部１７は、各分離波形のｔａおよびｔｂを測定する（ステップＳ２８）。血糖値算出部１７は、分離波形のピークからｔａを求め、分離波形の終点時間からｔａを減算してｔｂを算出する。
【０１０１】
続いて、血糖値算出部１７は、各分離波形のＳａおよびＳｂを測定する（ステップＳ２９）。血糖値算出部１７は、ｔａおよびｔｂのそれぞれの期間について分離波形の時間積分を行ってＳａおよびＳｂを算出する。なお、算出（測定）された解析パラメータは、記憶部１６に記憶される。
【０１０２】
続いて、血糖値算出部１７は、血糖値を算出する（ステップＳ３０）。血糖値算出部１７は、記憶部１６に記憶した係数（Ａ、α、Ｂ、β）と、解析パラメータ（ｔａ、ｔｂ、Ｓａ、Ｓｂ、ｈｂ）とを用いて血糖値を算出する。
【０１０３】
続いて、血糖値出力部１８は、血糖値を出力する（ステップＳ３１）。
【０１０４】
上述した構成により脈波を取り出した場合でも、第１の実施の形態と同様の効果が得られる。
【０１０５】
（３）他の実施の形態
なお上述の実施の形態においては、本発明を血糖値測定システム１０に適用するようにした場合について述べたが、本発明はこれに限らず、この他種々の血糖値測定システムに広く適用することができる。
【０１０６】
また上述の実施の形態においては、発光部１１および受光部１２を１つずつ設ける場合について述べたが、本発明はこれに限らず、設ける個数は適宜に採用してもよい。例えば、発光部１１を複数設けてもよい。
【０１０７】
また上述の実施の形態においては、主に、吸光特性の波長（第１波長）または散乱／反射特性の波長（第２波長）を用いる場合について述べたが、本発明はこれに限らず、両方の波長を測定可能な構成を採用し、両方の波長を用いてもよい。例えば、一方の波長では測定ができない場合、他方の波長で測定できるように、第１波長と第２波長とを切替可能な構成としてもよい。
【０１０８】
上述した構成については、発明の要旨の範囲内において、適宜に、変更したり、組み合わせたり、省略したりすることができる。
【符号の説明】
【０１０９】
１０  血糖値測定システム、１１  発光部、１２  受光部、１３  増幅部、１４  位相シフト部、１５  脈波検出部、１６  記憶部、１７  血糖値算出部、１８  血糖値出力部
【図１】
2019141263.tif 000010
【図２】
2019141263.tif 000011
【図３】
2019141263.tif 000012
【図４】
2019141263.tif 000013
【図５】
2019141263.tif 000014
【図６】
2019141263.tif 000015
【図７】
2019141263.tif 000016
【図８】
2019141263.tif 000017
【図９】
2019141263.tif 000018
【図１０】
2019141263.tif 000019
【図１１】
2019141263.tif 000020
【図１２】
2019141263.tif 000021
【図１３】
2019141263.tif 000022
【図１４】
2019141263.tif 000023
【図１５】
2019141263.tif 000024